(57)【要約】【課題】チャック具の先端側を斜め方向から電球のガラス球に当接させたとしても、電球のガラス球を安定よく確実に把持できて電球を容易に取り外せるチャック具を備える。【解決手段】ガラス球ｌ１の中腹部より小径となる球面部位の横方向に亘る弯曲軸の上横軸辺２０ａ、上横軸辺２０ａの各端相当部位よりガラス球ｌ１の中腹部に至る弯曲軸の上辺部を持つ縦軸辺２０ｂ，２０ｃ、下横軸辺２０ｄ，２０ｅより形成した一対の把持枠２０，２０’を備え、下横軸辺２０ｄ，２０ｅをパッド台２１の側部に嵌め込み、縦軸辺の相対する相互２０ｄ，２０ｄ’、２０ｅ，２０ｅ’をパッド台２の側部に渡す引合いバネ２２ａ，２２ｂで引張支持し、把持枠２０，２０’をパッド台２１の両側に組み付けたチャック具２を備え、そのチャック具を螺旋軸３で取手棒１の先端側から上方に保持した。【選択図】図１
2007149502.tif 000002
【特許請求の範囲】
【請求項１】
作業員が手で持って軸線を時計回り，反時計回りに回転操作する長尺な取手棒を備え、電球のガラス球を挟込み保持するチャック具を取手棒の先端側に取り付け、作業員の手の届かない高所に取り付けられる電球を着脱するに用いられる電球交換器具において、
ガラス球の大径な中腹部より口金寄りの小径となる球面部位の横方向に亘る曲線に相応した弯曲軸の上横軸辺、上横軸辺の左右端から相平行する下方に折れ曲がって該各端相当部位よりガラス球の大径な中腹部に至る縦方向の曲線に相応した弯曲軸の上辺部を持って直線軸の下辺部にと連続する左右の縦軸辺、各縦軸辺の軸下端から内側に折れ曲がって相対する左右の下横軸辺の各辺部より形成した把持枠の一対と、
ガラス球の頂部寄り球面を受入れ可能な窪み部を中央に設けたパッド台とからなり、
下横軸辺をパッド台の側部に設けた受け穴に嵌め込み、縦軸辺の相対する同側の下辺寄り相互をパッド台の側部に渡す引合いバネで引張支持し、上横軸辺を上方に向ける構造により、一対の把持枠をパッド台の両側に対向させて組み付けたチャック具を備え、
パッド台の底部中心と取手棒の軸線中心とを連結する撓み変形，復元可能な螺旋軸により、チャック具を取手棒の先端側から上方に保持してなることを特徴とする電球交換器具。
【請求項２】
ガラス球の頂部寄り球面を受け止める滑止め用の弾性リングをパッド台の窪み口周りに取り付けたチャック具を備えてなることを特徴とする請求項１に記載の電球交換器具。
【発明の詳細な説明】
【技術分野】
【０００１】
本発明は、作業員の手の届かない高所に取り付けられる電球を着脱交換するに用いられる電球交換器具に関するものである。
【背景技術】
【０００２】
従来、ガラス球の頂部からネック部に至る縦方向の曲線に相応させて内側辺を弧状に形成した４本の挟み板と、平面十字状の凹溝を板面に設けた受け台とからなり、ガラス球の頂部側に位置する挟み板の基部を受け台の凹溝に挿置させて受け台の側面から圧入するピンで軸支すると共に、ガラス球のネック部側に位置する挟み板の先端側を上方に向け、相隣接する相互を先端側に掛け渡すコイルスプリングで拡開可能に引張支持したチャック具を取手棒の先端側に備える電球交換器具が知られている（特許文献１）。
【０００３】
上述したチャック具では、旧電球の取外し時に、挟み板の各先端側をガラス球の真下から頂部の中心より等しい球面部位に当接させて押圧力を取手棒による突上げで加え、各挟み板を均等にバネ偏倚させてガラス球のネック部にまで摺接移動する必要がある。
【０００４】
仮に、挟み板の先端側を斜め方向から電球のガラス球に当接させたりすると、挟み板の少なくとも１本は拡開方向にバネ偏倚するが、相隣接する両側の挟み板は該１本を基点としてコイルスプリングによる引張りで電球のガラス球に突っ掛かって拡開方向に動けないため、電球のガラス球を挟み板の間に受け入れられないことになる。
【０００５】
その挟み板の各先端側をガラス球の真下から頂部の中心より等しい球面部位に当接させるにしても、挟み板の先端側がガラス球のネック部に相当する側で電球のガラス球を受け入れる口として狭くしかも上向き姿勢にあり、また、電球が高所に取り付けられているものであるため、挟み板の先端側をガラス球の頂部中心より等しい球面部位に位置を合わせ難い。
【特許文献１】特開平７−６７４１
【発明の開示】
【発明が解決しようとする課題】
【０００６】
本発明の解決しようとする課題は、チャック具の先端側を斜め方向から電球のガラス球に当接させたとしても、電球のガラス球を安定よく確実に把持できて電球を容易に取り外せるチャック具を備える電球交換器具を構成することにある。
【課題を解決するための手段】
【０００７】
本願の請求項１は、作業員が手で持って軸線を時計回り，反時計回りに回転操作する長尺な取手棒を備え、電球のガラス球を挟込み保持するチャック具を取手棒の先端側に取り付け、作業員の手の届かない高所に取り付けられる電球を着脱するに用いられる電球交換器具において、
ガラス球の大径な中腹部より口金寄りの小径となる球面部位の横方向に亘る曲線に相応した弯曲軸の上横軸辺、上横軸辺の左右端から相平行する下方に折れ曲がって該各端相当部位よりガラス球の大径な中腹部に至る縦方向の曲線に相応した弯曲軸の上辺部を持って直線軸の下辺部にと連続する左右の縦軸辺、各縦軸辺の軸下端から内側に折れ曲がって相対する左右の下横軸辺の各辺部より形成した把持枠の一対と、
ガラス球の頂部寄り球面を受入れ可能な窪み部を中央に設けたパッド台とからなり、
下横軸辺をパッド台の側部に設けた受け穴に嵌め込み、縦軸辺の相対する同側の下辺寄り相互をパッド台の側部に渡す引合いバネで引張支持し、上横軸辺を上方に向ける構造により、一対の把持枠をパッド台の両側に対向させて組み付けたチャック具を備え、
パッド台の底部中心と取手棒の軸線中心とを連結する撓み変形，復元可能な螺旋軸により、チャック具を取手棒の先端側から上方に保持してなることを特徴とする。
【０００８】
本願の請求項２は、ガラス球の頂部寄り球面を受け止める滑止め用の弾性リングをパッド台の窪み口周りに取り付けたチャック具を備えてなることを特徴とする。
【発明の効果】
【０００９】
本願の請求項１に係る電球交換器具によると、一対の把持枠をパッド台の両側に対向させて組み付けしかも枠相互を引合いバネで引張支持するため、把持枠の先端側を電球のガラス球に斜め方向から当接させても、チャック具を取手棒で突き上げると、枠相互が均等に拡開することから、電球のガラス球を把持枠の間に受け入れられる。
【００１０】
その電球のガラス球を受け入れた把持枠を取手棒で更に突き上げると、把持枠の上横軸辺がガラス球の大径な中腹部より口金寄りの小径となる球面部位の横方向に亘る曲線に相応した弯曲軸で、縦軸辺の上辺部もガラス球の大径な中腹部に至る縦方向の曲線に相応した弯曲軸であるため、各軸辺がガラス球の球面形状に沿うよう動こうとし、また、チャック具を保持する螺旋軸が撓み変形することから、各軸辺がガラス球の球面形状に沿うまで動く。
【００１１】
把持枠の各軸辺がガラス球の球面形状に沿うと、上横軸辺がガラス球の大径な中腹部より口金寄りの小径となる球面部位を挟み込み、縦軸辺の上辺部がガラス球の大径な中腹部に至る縦方向を挟み込むため、電球のガラス球を一対のチャック具で安定よく確実に把持できる。このガラス球の把持状態から、作業者が取手棒を回転すると、螺旋軸が撓み状態で捩れながら回転力を電球のガラス球に作用するため、電球を斜め方向からもソケットより容易に取り外せる。
【００１２】
上述したチャック具を含む全体の動きから、下向きに取り付けられる電球のみならず、斜め下向き乃至は横向きに取り付けられる電球の着脱にも適用できる。
【００１３】
本願の請求項２に係る電球交換器具によると、滑止め用の弾性リングがパッド台の窪み口周りに取り付けられているため、取手棒の回転操作に伴って、電球のガラス球がチャック具の内側でズレ動くのを抑えられるから、電球のガラス球をチャック具で確実に把持できて電球の着脱交換を容易に行える。
【発明を実施するための最良の形態】
【００１４】
図示の電球交換器具は、図１で示すようにガラス球ｌ１と口金ｌ２とからなり、作業者の手が届かない比較的高所に取り付けられる電球Ｌを着脱交換するものとして構成されている。電球Ｌとしては下向き取付け型を例示し、ガラス球ｌ１の最下点を頂部といい、大径部位を中腹部といい、大径部位より口金ｌ２に向う球面部位を小径部位という。
【００１５】
その電球交換器具は、作業員が手で持って軸線を時計回り，反時計回りに回転操作する長尺な取手棒１を備え、電球のガラス球ｌ１を挟込み保持するチャック具２を取手棒１の先端側に取り付け、また、チャック具２を撓み変形，復元可能な螺旋軸３で取手棒１の先端側に保持することから、下向き，斜め下向き，横向き取付け型のいずれの電球にも対応可能に構成されている。
【００１６】
チャック具２は、一対の把持枠２０，２０’とパッド台２１とを備えて構成されている。把持枠２０，２０’は、上横軸辺２０ａ，２０ａ’と、上横軸辺２０ａ，２０ａ’の左右端から相平行する下方に折れ曲がる左右の縦軸辺２０ｂ（２０ｃ），２０ｂ’（２０ｃ’）と、各縦軸辺２０ｂ（２０ｃ），２０ｂ’（２０ｃ’）の軸下端から内側に折れ曲がって相対する左右の下横軸辺２０ｄ（２０ｅ），２０ｄ’（２０ｅ’）との各辺部を金属線材より折り曲げて同じ軸線形状に形成されている。
【００１７】
図１と共に、図２ａ〜図２ｃで示す（片側のみ図示）ように各辺部のうち、上横軸辺２０ａはガラス球ｌ１の大径な中腹部より口金ｌ２寄りの小径となる球面部位の横方向に亘る曲線に相応した弯曲軸で形成されている。縦軸辺２０ｂ，２０ｃは、上横軸辺２０ａの折れ曲がる各端相当部位よりガラス球ｌ１の大径な中腹部に至る縦方向の曲線に相応した弯曲軸の上辺部を持って直線軸の下辺部にと連続するよう形成されている。
【００１８】
パッド台２１は、図３で示すようにガラス球ｌ１の頂部寄り球面に相当する円周を有する円盤状の樹脂成形品で形成されている。そのパッド台２１には、ガラス球ｌ１の頂部寄り球面を受入れ可能な窪み部２１ａが平面中央に設けられている。また、ガラス球ｌ１の頂部寄り球面を受け止める滑止め用の弾性リング２１ｂが窪み部２１ａの口周りに取り付けられている。
【００１９】
その他、後述するように把持枠２０，２０’の下横軸辺２０ｄ，２０ｅを嵌め込む一対の受け穴２１ｃ，２１ｃ’と、把持枠２０，２０’を互いに引張支持する引合いバネの通し穴２０ｄとがパッド台２の相対する二面相互に分けて各側部に設けられている。また、チャック具保持用の螺旋軸３に嵌着する支軸の固定穴２０ｅが底部面の中央に設けられている。パッド台自体は、円筒状の外周部２０ｆと鍔付きの中実部２０ｇとの嵌合わせで形成されている。
【００２０】
チャック具２は、図４，図５で示すように一対の把持枠２０，２０’をパッド台２１の両側に対向させて組付け配置することから組み立てられている。
【００２１】
把持枠２０，２０’は、下横軸辺２０ｄ，２０ｅ、２０ｄ’，２０ｅ’をパッド台２の相対する各側部に設けた受け穴２０ｃ，２０ｃ、２０ｃ’，２０ｃ’に嵌め込んでパッド台２１で支持されている。また、縦軸辺２０ｂ，２０ｃ、２０ｂ’，２０ｃ’の相対する同側２０ｂ，２０ｂ’、２０ｃ，２０ｃ’の下辺寄り相互をパッド台２の相対する各側部の通し穴２１ｄ，２１ｄ’に渡す引合いバネ２２ａ，２２ｂで引張支持することからパッド台２の両側に立て付けられている。
【００２２】
チャック具２は、取手棒１の先端側に嵌込み装着されるキャップ４を備えて組み立てられている。キャップ４は、取手棒１の先端側に嵌め合せる円筒部４ａと、円筒部４ａの開口に嵌着する支持部４ｂとから形成されている。このキャップ４に対し、チャック部２は各螺旋端をパッド台２１の底部中心に植設した支軸２３と、支持部４ｂの天部中心に植設した支軸４ｃとに嵌着する螺旋軸３で連結保持されている。
【００２３】
取手棒１は丸パイプ部材でなり、一本の長尺棒または伸縮可能な複数本の繋ぎ棒として備え付けられる。この取手棒１には、キャップ４の開孔と嵌り合うプランジャ状のボールキー５を側面に設けることから、チャック具２を含むキャップ４が取手棒１の先端側に着脱可能に備え付けられている。
【００２４】
このように構成する電球交換器具では、旧電球の交換にあたり、作業者が取手棒１を手で持ってチャック具２を電球Ｌの下まで持ち運び、把持枠２０，２０’の先端側をガラス球ｌ１の球面にあてがってチャック具２を取手棒１で突き上げるよう操作する。その際に、把持枠２０，２０’の先端側が電球のガラス球ｌ１に斜め方向から当接しても、把持枠２０，２０’の相互が引合いバネ２２ａ，２２ｂで均等に拡開するから、電球のガラス球ｌ１を把持枠２０，２０’の間に受け入れられる。
【００２５】
その電球のガラス球ｌ１を受け入れた把持枠２０，２０’を取手棒１で更に突き上げると、把持枠２０，２０’の上横軸辺２０ａ，２０ａ’がガラス球ｌ１の大径な中腹部より口金ｌ２寄りの小径となる球面部位の横方向に亘る曲線に相応した弯曲軸であり、縦軸辺２０ｂ（２０ｃ），２０ｂ’（２０ｃ’）の上辺部もガラス球ｌ１の大径な中腹部に至る縦方向の曲線に相応した弯曲軸であることから、各軸辺がガラス球ｌ１の球面形状に沿うよう動こうとする。これと共に、チャック具２を保持する螺旋軸３が撓み変形することから、各軸辺がガラス球ｌ１の球面形状に沿うまで動く。
【００２６】
把持枠２０，２０’の各軸辺がガラス球ｌ１の球面形状に沿うと、上横軸辺２０ａ，２０ａ’がガラス球ｌ１の大径な中腹部より口金ｌ２寄りの小径となる球面部位を挟み込む。また、縦軸辺２０ｂ（２０ｃ），２０ｂ’（２０ｃ’）の上辺部がガラス球の大径な中腹部に至る縦方向を挟み込むため、電球のガラス球ｌ１をチャック具２で安定よく確実に把持できる。
【００２７】
そのガラス球ｌ１の把持状態から、作業者が取手棒１を反時計方向に回転すると、螺旋軸３が撓み状態で捩れながら回転力を電球のガラス球ｌ１に作用するため、電球Ｌを斜め方向からもソケットより容易に取り外せる。この取手棒１の回転操作に伴っては、電球のガラス球ｌ１が滑止め用の弾性リング２１ｂで受け止められているため、電球のガラス球ｌ１がチャック具２の内側でズレ動かないから、電球のガラス球ｌ１をチャック具２で確実に把持できて電球Ｌを容易に取り外せる。
【００２８】
上述したとは逆に、新電球を取り付けるにあたっては、作業員が新電球をチャック具２にはめ込み、取り付け場所まで取手棒１で持ち運んで口金ｌ２をソケット部に合わせ、取手棒１を時計方向に回転操作することから、電球Ｌを高所でも簡単に取り付けられる。新電球を口金ｌ２でソケット部に螺着したならば、作業員が取手棒１を引き下げることからチャック具２を電球より容易に外せる。
【００２９】
上述したように把持枠２０，２０’の先端側を電球のガラス球ｌ１に斜め方向から当接させても、把持枠２０，２０’の相互が引合いバネ２２ａ，２２ｂで均等に拡開し、電球のガラス球ｌ１を把持枠２０，２０’の間に受け入れられると共に、取手棒１による更に突上げ操作により、把持枠２０，２０’の上横軸辺２０ａ，２０ａ’並びに縦軸辺２０ｂ（２０ｃ），２０ｂ’（２０ｃ’）の上辺部が螺旋軸３の撓みでガラス球ｌ１の球面形状に沿うまで動くから、下向きに取り付けられる電球のみならず、図６で示すように斜め下向き乃至は横向きに取り付けられる電球Ｌの着脱にも適用できる。
【図面の簡単な説明】
【００３０】
【図１】本発明に係る電球交換器具を電球の把持状態で示す断面図である。
【図２ａ】図１の電球交換器具に備えられる把持枠を示す正面図である。
【図２ｂ】図２ａの把持枠を示す平面図である。
【図２ｃ】図２ａの把持枠を示す側面図である。
【図３】図１の電球交換器具に備えられるパッド台を示す断面図である。
【図４】図１の電球交換器具を電球の非把持状態で示す平面図である。
【図５】図１の電球交換器具を電球の非把持状態で示す正面図である。
【図６】図１の電球交換器具を斜め下向き型電球の把持状態で示す断面図である。
【符号の説明】
【００３１】
Ｌ            電球
ｌ１          ガラス球
１            取手棒
２            チャック具
２０，２０’    把持枠
２０ａ，２０ａ’    把持枠の上横軸辺
２０ｂ，２０ｃ、２０ｂ’，２０ｃ’    把持枠の縦軸辺
２０ｄ，２０ｅ、２０ｄ’，２０ｅ’    把持枠の下横軸辺
２１          パッド台
２１ａ        パッド台の窪み部
２２ａ，２２ｂ    把持枠の引合いバネ
３            螺旋軸
【図１】
2007149502.tif 000003
【図２ａ】
2007149502.tif 000004
【図２ｂ】
2007149502.tif 000005
【図２ｃ】
2007149502.tif 000006
【図３】
2007149502.tif 000007
【図４】
2007149502.tif 000008
【図５】
2007149502.tif 000009
【図６】
2007149502.tif 000010